(57)【要約】      （修正有）【課題】紙材の持つ温かさや柔らかさを活用すると共に、音楽ＣＤケースと同様に収容できる卓上鏡を提供する。【解決手段】紙材に鏡体を固着させてなる鏡面部１と、鏡面部を起立状態で保持可能な紙材の保持部と、を有し、保持部は、使用時に起立する表表紙部２０と、使用時に底面を形成する裏表紙部２１と、表表紙部と裏表紙部を連結する背表紙部２２と、鏡面部を揺動可能に保持する揺動部２３と、を有して構成される。【選択図】図２
0003196361.tif 000002
【実用新案登録請求の範囲】
【請求項１】
紙材に鏡体を固着させてなる鏡面部と、鏡面部を起立状態で保持可能な紙材の保持部と、を有する卓上鏡であって、
前記保持部は、使用時に起立する表表紙部と、使用時に底面を形成する裏表紙部と、表表紙部と裏表紙部を連結する背表紙部と、鏡面部を揺動可能に保持する揺動部と、を有して構成され、
表表面部と裏表紙の間に、鏡面部を挟着して、ＣＤケース状に折り畳み可能に構成されていることを特徴とする卓上鏡。
【請求項２】
前記保持部は、一枚の台紙を折り曲げて形成されている請求項１に記載の卓上鏡。
【請求項３】
前記表表紙部は、台紙二枚分の厚みを有する請求項２に記載の卓上鏡。
【請求項４】
前記裏表紙部は、台紙三枚分の厚みを有する請求項２又は３に記載の卓上鏡。
【請求項５】
前記裏表紙部には、起立状態の表表紙部を受け止める受止片が設けされている請求項１〜４の何れかに記載の卓上鏡。
【考案の詳細な説明】
【技術分野】
【０００１】
本考案は、紙製の音楽ＣＤケースを模した卓上鏡に関する。
【背景技術】
【０００２】
卓上鏡は、卓上に配置して、必要時に自分の顔を確認する家具である。
【先行技術文献】
【非特許文献】
【０００３】
【非特許文献１】平成２６年１２月２０日検索：インターネット：ＵＲＬ＝http://www.amazon.co.jp/s/ref=nb_sb_noss_1?__mk_ja_JP=%E3%82%AB%E3%82%BF%E3%82%AB%E3%83%8A&url=search-alias%3Daps&field-keywords=%E5%8D%93%E4%B8%8A%E9%8F%A1&rh=i%3Aaps%2Ck%3A%E5%8D%93%E4%B8%8A%E9%8F%A1
【考案の概要】
【考案が解決しようとする課題】
【０００４】
卓上鏡として、各種の形状が提案されているが（非特許文献１）、何れも、金属製又はプラスチック製の剛性フレームを基調としており、その分だけ、柔らかさや温かみに欠ける面があった。また、通常、これらのフレームには、印刷面を形成できないので、例えば、少ロット毎に印刷面を変えるようなことができず、要するに、大量生産品とせざるを得ないという問題がある。更に、何れの形状の卓上鏡も、同一箇所に固定配置されることを前提にした構成であるため、テーブルのスペースを永続的に占有するという問題もある。
【０００５】
本考案は、上記の問題に鑑みてなされたものであって、紙の持つ温かさや柔らかさを活用すると共に、少ロット毎の個別対応が容易で、しかも、音楽ＣＤケースと同様に書庫などに収納することもできる卓上鏡を提供することを目的とする。
【課題を解決するための手段】
【０００６】
上記の目的を達成するため、本考案は、紙材に鏡体を固着させてなる鏡面部と、鏡面部を起立状態で保持可能な紙材の保持部と、を有する卓上鏡であって、前記保持部は、使用時に起立する表表紙部と、使用時に底面を形成する裏表紙部と、表表紙部と裏表紙部を連結する背表紙部と、鏡面部を揺動可能に保持する揺動部と、を有して構成され、表表面部と裏表紙の間に鏡面部を挟着して、ＣＤケース状に折り畳み可能に構成されている。
【０００７】
前記保持部は、一枚の台紙を折り曲げて形成されているのが好ましい。この場合、前記表表紙部は、台紙二枚分の厚みを有し、前記裏表紙部は、台紙三枚分の厚みを有するのが好ましい。また、前記裏表紙部には、起立状態の表表紙部を受け止める受止片が設けされているのが好適である。
【考案の効果】
【０００８】
上記した本考案によれば、紙材の持つ温かさや柔らかさを活用すると共に、少ロット毎の個別対応が容易で、しかも、音楽ＣＤケースと同様に適所の格納することもできる卓上鏡を実現することができる。
【図面の簡単な説明】
【０００９】
【図１】実施例に係る卓上鏡の使用状態を示す斜視図である。
【図２】図１の卓上鏡の右側面図である。
【図３】実施例に係る卓上鏡の収納状態を示す斜視図である。
【図４】実施例の卓上鏡の製造手順を説明する図面である。
【考案を実施するための形態】
【００１０】
以下、実施例に基づいて本考案を詳細に説明する。図１は、実施例に係る卓上鏡ＭＲの使用状態を示す斜視図であり、図２は、その側面図である。
【００１１】
図示の通り、この卓上鏡ＭＲは、略円形に見えるよう鏡体を厚紙に貼り付けて構成された鏡面部１と、鏡面部１を起立状態で保持可能な保持部２とで構成されている。
【００１２】
鏡面部１は、略正方形のベース厚紙１０と、ベース厚紙１０に貼着された鏡体１１と、鏡体１１を略円形に露出させる表面紙１２とで構成されている。なお、表面紙とベース厚紙の外表面には、光沢面が形成されている。また、記載の便宜上、図２及び図３では、ベース厚紙１０と表面厚紙１２の境界ラインを図示していない。
【００１３】
図２に示す通り、保持部２は、使用状態では起立背面を形成する表表紙部２０と、使用時に底面を形成する裏表紙部２１と、表表紙部２０と裏表紙部２１を連結する背表紙部２２と、鏡面部１を揺動可能に保持する揺動部２３とで構成されている。
【００１４】
ここで、表表紙部２０、裏表紙部２１、及び、背表紙部２２の露出面は、音楽ＣＤに相応しい適宜な画像や文字を印刷した光沢面となっている。
【００１５】
保持部２は、１枚の厚紙台紙を折り重ねて構成されているが、表表紙部２０は台紙２枚分、裏表紙部２１は台紙３枚分、背表紙部２２と揺動部２３は台紙１枚分の厚さを有している。そして、裏表紙部２１の一部には、切起し片３０が立ち上がっており、搖動する鏡面部１を受け止め可能に構成されている。
【００１６】
本実施例では、表表紙部２０と、裏表紙部２１と、鏡面部１とが、標準的な音楽ＣＤの紙製ケースと同じ縦横寸法に設定されている。また、表表紙部２０と裏表紙部２１を連結する背表紙部２２の連結長さは、鏡面部１の厚みとほぼ同一に形成されている。
【００１７】
そのため、鏡面部１を表表紙部２０の方向に折り畳み、これに裏表紙部２１を重ねれば、音楽ＣＤの紙製ケースと同様の折り畳み形状となる（図３参照）。
【００１８】
次に、図４（ａ）は、保持部２を構成する厚紙台紙４を示している。なお、図４（ａ）に示す細線Ｌ１〜Ｌ８は、折り曲げラインを示し、太線は、台紙４の輪郭ライン又は切込みラインを示している。
【００１９】
図４（ａ）に示す厚紙台紙４において、折り曲げラインＬ１から左側の領域が、揺動部２３を構成する接続片ＣＮであり、折り曲げラインＬ３から右側の領域が、裏表紙部２１を構成する裏描画領域ＢＤ、貼付部ＳＴ，ＳＴ、及び底面部ＢＴである。図示の通り、底面部ＢＴには、切起し片３０が切起し可能に形成されている。
【００２０】
また、折り曲げラインＬ２と折り曲げラインＬ３の間の領域が、背表紙部２２を構成する部分であり、折り曲げラインＬ１と折り曲げラインＬ２の間の領域が、裏表紙部２０を構成する表描画領域ＦＤ、及び、サイド描画領域ＳＤ１，ＳＤ２である。
【００２１】
なお、表描画領域ＦＤと裏描画領域ＦＤには、明細書紙面の上側を上方とする画像が印刷されており、サイド描画領域ＳＤ１，ＳＤ２には、明細書紙面の左９０度方向を上方とする画像が印刷されている。なお、これらの画像は、一つのコンセプトに基づいた、統一的な画像であることが望ましい。
【００２２】
何れにしても、図４（ａ）の展開状態の厚紙台紙４は、最初に、折り曲げラインＬ５，Ｌ７及びＬ６，Ｌ８に沿って折り曲げられる。なお、図４（ａ）は印刷面を示しているので、折り曲げラインＬ５，Ｌ７，Ｌ６，Ｌ８の外側領域ＳＤ１，ＳＤ２，ＳＴ，ＳＴは、各々、明細書紙面の裏側方向に１８０°折り曲げられる。
【００２３】
図４（ｂ）は、この折り曲げ工程後の厚紙台紙４を、表裏反転させた状態を示しており、表裏反転させた状態の接続片ＣＮ’と底面部ＢＴ’が示されている。
【００２４】
そして、この状態で、サイド描画領域ＳＤ１，ＳＤ２は、表描画領域ＦＤの裏面に貼付けられ、貼付部ＳＴ，ＳＴは、裏描画領域ＢＤの裏面に貼付けられる。なお、この貼着作業によって、表表紙部２０及び裏表紙部２１は、台紙２枚分の厚みとなる。
【００２５】
そこで、次に、表裏反転状態の底面部ＢＴ’を、貼付部ＳＴ，ＳＴに重ねて貼着して、本来の底面部ＢＴを露出させる。図４（ｃ）はこの状態を示しており、図４（ｄ）は、図４（ｃ）を表裏反転させた完成状態を示している。
【００２６】
そして、最後に、接続片ＣＮの上面に鏡面部１を貼り付けることで、実施例の卓上鏡ＭＲが完成状態となる。
【００２７】
以上の通り、本実施例では、簡単な製法で、斬新な構成の卓上鏡を完成させることができる。すなわち、厚紙台紙４について、図４（ａ）の外径形状を型抜き加工と、その後の折り重ね接着加工だけで足り、角度保持などの加工のための余計な製造コストが発生しない。
【００２８】
そして、この卓上鏡は、印刷光沢面を有する厚紙で構成されるので、温かみと柔らかさのある卓上鏡を実現することができ、また、音楽ＣＤケースと同様に書庫などに収納することもできる。
【００２９】
また、本考案は、紙製であって、その表面に適宜な画像を印刷できるので、この意味でも製造コストを抑えることができ、少ロット毎の個別対応が可能である。そのため、本考案は、例えば、配布ノベルティ商品や、イベントの景品などとして活用することもできる。
【００３０】
以上、実施例について詳細に説明したが、具体的な記載内容は特に本考案を限定するものではない。
【符号の説明】
【００３１】
１    鏡面部
２    保持部
２０  表表紙部
２１  裏表紙部
２２  背表紙部
２３  揺動部
【図１】
0003196361.tif 000003
【図２】
0003196361.tif 000004
【図３】
0003196361.tif 000005
【図４】
0003196361.tif 000006